(57)【要約】【課題】  工場での生産性を向上でき、しかも鞘管の外側で施工することができ、施工性も優れる杭と鞘管間のグラウト流出防止用シール構造を提供すること。【解決手段】  鞘管２の端部に外側に突き出した環状のフランジ部１２を設け、このフランジ部１２に、鞘管２の内側に突き出す環状のシール部１１ａを備える弾性体のシール部材１１を当て、さらにこのシール部材１１に押えリング部１３ａを備える押え部材１３を当て、これらの外側から固定部材１５で挟んで固定する。  これにより、鞘管２の外側でシール構造１０の取り付けができ、しかも固定部材１５で挟んで固定することで、ボルト用の孔加工や位置合わせが不要となり、製作および施工が簡単にできるようになる。【選択図】  図２
2009084948.tif 000002
【特許請求の範囲】
【請求項１】
杭とその外側に配置される鞘管との間隙に注入されるグラウトの流出を防止してシールするシール構造であって、
前記鞘管の端部に外側に突き出した環状のフランジ部を設け、このフランジ部に前記鞘管の内側に突き出す環状のシール部を備える弾性体のシール部材を設け、このシール部材に当てる押えリング部を備える押え部材を設け、この押え部材と前記フランジ部との間の前記シール部材を、外側から固定部材で挟んで固定してなることを特徴とする杭と鞘管間のグラウト流出防止用シール構造。
【請求項２】
前記シール部材の外周端縁部に、肉厚または凸状の抜け止め部を形成してなることを特徴とする請求項１記載の杭と鞘管間のグラウト流出防止用シール構造。
【請求項３】
前記押え部材の端縁部に、前記鞘管の周面と平行に突き出す円筒部を形成してなることを特徴とする請求項１または２記載の杭と鞘管間のグラウト流出防止用シール構造。
【請求項４】
前記押え部材の端縁部に、先端部が大径の円すい部を形成してなることを特徴とする請求項１〜３のいずれかに記載の杭と鞘管間のグラウト流出防止用シール構造。
【請求項５】
前記シール部材の上面または下面のいずれかに、前記鞘管の内周面より突き出して当該シール部材を支持する補強部材を設けたことを特徴とする請求項１〜４のいずれかに記載の杭と鞘管間のグラウト流出防止用シール構造。
【請求項６】
前記押え部材の押えリング部の内周端を、前記鞘管の内周面より突出させて前記シール部材を支持可能に構成してなることを特徴とする請求項１〜４のいずれかに記載の杭と鞘管間のグラウト流出防止用シール構造。
【請求項７】
前記押え部材の外周端縁に、前記鞘管のフランジ面に当接させる当接部を形成してなることを特徴とする請求項１〜６のいずれかに記載の杭と鞘管間のグラウト流出防止用シール構造。
【請求項８】
前記フランジ部の外周端縁の円周複数箇所に、前記押え部材のずれを防止するずれ止め部材を設けてなることを特徴とする請求項１〜７のいずれかに記載の杭と鞘管間のグラウト流出防止用シール構造。
【発明の詳細な説明】
【技術分野】
【０００１】
この発明は、杭と鞘管間のグラウト流出防止用シール構造に関し、弾性体のシール部材を鞘管の外側からボルトによらず簡単に取り付けることができるようにしたものである。
【背景技術】
【０００２】
例えば人工島や橋台等の構造物を構築する際の基礎部分として、構造物の一部をなすよう鋼管又はコンクリート等からなる鞘管を取り付けておき、この鞘管内に鋼管又はコンクリート等からなる杭を挿入して地中に打設した後、鞘管と杭との間の空間にグラウトを充填したり、逆に杭を打設した後、鞘管を挿入し、これらの隙間にグラウトを充填することにより、杭と鞘管とを一体的に結合固定することが行われており、鞘管の下端部において鞘管と杭の隙間からグラウトが外部に流出することを防止するためシール構造が設けられる。
【０００３】
従来から鞘管と杭の隙間からグラウトが流出することを防止するためのシール構造については種々提案されている。  
例えば特許文献１には、図９（ａ）に示すように、ゴム等の弾性体により形成された断面形状がＬ字状の環状のシール材１の外周面に鞘管２に溶接固定するための鋼管などの短筒状の固定部材３が一体にされており、鞘管２の下端部に装着して固定部材３を溶接することでシール構造が施工され、シール材１が下側に弾性変形して先端が杭４の外面に圧接してシールするように構成され、比較的杭４と鞘管２との間隔が小さい場合のシール構造とされている。
【０００４】
また、比較的杭４と鞘管２との間隔が大きい場合のシール構造としては、例えば図９（ｂ）に示すように、断面形状がＩ字状のシール材５を用い、鞘管２の内周面に環状の取付金具６を水平に突き出すように溶接し、シール材５を載せて環状の押え板７を介してボルト・ナット８で締め付けて固定するものがある。  
なお、図中の９は、スペーサである。
【特許文献１】特開平０９−８８０５０号公報
【発明の開示】
【発明が解決しようとする課題】
【０００５】
このような従来のシール構造では、断面形状がＬ字状のシール部材１と、これを鞘管２に取り付けるための金属製の環状の固定部材３とを工場にて一体に成形し、施工の際に、環状の固定部材３ごと鞘管２に溶接して取り付けなければならず、作業性が悪く、簡単に施工できないという問題がある。  
また、断面形状がＩ字状のシール材５を用いるシール構造の場合には、鞘管２の内周面に取付金具６を溶接した後、シール材５を載せ、取付金具６、シール材５および押え板７のボルト挿入孔を位置合わせしながらボルト・ナット８で締め付けなければならず、位置合わせが煩雑であり、簡単に施工することができず、予めこれら取付金具６、シール材５および押え板７にボルト挿入孔を加工しておく必要もあり、製作も大変であるという問題がある。
【０００６】
この発明は、かかる従来技術の問題に鑑みてなされたもので、工場での生産性を向上でき、しかも鞘管の外側で施工することができ、施工性も優れる杭と鞘管間のグラウト流出防止用シール構造を提供しようとするものである。
【課題を解決するための手段】
【０００７】
上記課題を解決するためこの発明の請求項１記載の杭と鞘管間のグラウト流出防止用シール構造は、杭とその外側に配置される鞘管との間隙に注入されるグラウトの流出を防止してシールするシール構造であって、  
前記鞘管の端部に外側に突き出した環状のフランジ部を設け、このフランジ部に前記鞘管の内側に突き出す環状のシール部を備える弾性体のシール部材を設け、このシール部材に当てる押えリング部を備える押え部材を設け、この押え部材と前記フランジ部との間の前記シール部材を、外側から固定部材で挟んで固定してなることを特徴とするものである。  
この杭と鞘管間のグラウト流出防止用シール構造によれば、鞘管の端部に外側に突き出した環状のフランジ部を設け、このフランジ部に、鞘管の内側に突き出す環状のシール部を備える弾性体のシール部材を当て、さらにこのシール部材に押えリング部を備える押え部材を当て、これらの外側から固定部材で挟んで固定するようにしており、鞘管の外側でシール構造の取り付けができ、しかも固定部材で挟んで固定することで、ボルト用の孔加工や位置合わせが不要となり、製作および施工が簡単にできるようになる。
【０００８】
また、この発明の請求項２記載の杭と鞘管間のグラウト流出防止用シール構造は、請求項１記載の構成に加え、前記シール部材の外周端縁部に、肉厚または凸状の抜け止め部を形成してなることを特徴とするものである。  
この杭と鞘管間のグラウト流出防止用シール構造によれば、シール部材の外周端縁部に、肉厚または凸状の抜け止め部を形成しており、抜け止め部の内側を挟んで固定することで、肉厚または凸状の部分で抜け難くなり、一層確実に固定できるようになる。
【０００９】
さらに、この発明の請求項３記載の杭と鞘管間のグラウト流出防止用シール構造は、請求項１または２記載の構成に加え、前記押え部材の端縁部に、前記鞘管の周面と平行に突き出す円筒部を形成してなることを特徴とするものである。  
この杭と鞘管間のグラウト流出防止用シール構造によれば、押え部材の端縁部に、前記鞘管の周面と平行に突き出す円筒部を形成してあり、鞘管の下端部が海底面などに設置される場合にも円筒部でシール部材の変形できる空間を確保して確実にシールできるようになる。
【００１０】
また、この発明の請求項４記載の杭と鞘管間のグラウト流出防止用シール構造は、請求項１〜３のいずれかに記載の構成に加え、前記押え部材の端縁部に、先端部が大径の円すい部を形成してなることを特徴とするものである。  
この杭と鞘管間のグラウト流出防止用シール構造によれば、押え部材の端縁部に、先端部が大径の円すい部を形成してあり、押え部材に直接円すい部を形成したり、円筒部を介して円すい部を形成することで、杭を先に打設し、鞘管を後で設置する場合でも円すい部をガイドとして容易に施工できるようになる。
【００１１】
さらに、この発明の請求項５記載の杭と鞘管間のグラウト流出防止用シール構造は、請求項１〜４のいずれかに記載の構成に加え、前記シール部材の上面または下面のいずれかに、前記鞘管の内周面より突き出して当該シール部材を支持する補強部材を設けたことを特徴とするものである。  
この杭と鞘管間のグラウト流出防止用シール構造によれば、シール部材の上面または下面のいずれかに、鞘管の内周面より突き出して当該シール部材を支持する補強部材を設けてあり、補強部材でシール部材を支えて補強することで、杭と鞘管との間隔が大きい場合でも偏心を抑えて確実にシールできるようになる。さらに、押え部材の内側より補強部材が突出した範囲のグラウト圧を補強部材が受け持つので、シール部材にかかるグラウト圧が小さくなり、シール部材の変形を抑えて、鞘管と杭の偏心量が大きくても安定したシール効果を期待できるようになる。
【００１２】
また、この発明の請求項６記載の杭と鞘管間のグラウト流出防止用シール構造は、請求項１〜４のいずれかに記載の構成に加え、前記押え部材の押えリング部の内周端を、前記鞘管の内周面より突出させて前記シール部材を支持可能に構成してなることを特徴とするものである。
この杭と鞘管間のグラウト流出防止用シール構造によれば、押え部材の押えリング部の内周端を、前記鞘管の内周面より突出させて前記シール部材を支持可能に構成してあり、押え部材を突き出すことによってもシール部材を支えて補強できるようになり、別部材とすることなく、杭と鞘管との間隔が大きい場合でも偏心を抑えて確実にシールできるようになる。
【００１３】
さらに、この発明の請求項７記載の杭と鞘管間のグラウト流出防止用シール構造は、請求項１〜６のいずれかに記載の構成に加え、前記押え部材の外周端縁に、前記鞘管のフランジ面に当接させる当接部を形成してなることを特徴とするものである。  
この杭と鞘管間のグラウト流出防止用シール構造によれば、押え部材の外周端縁に、鞘管のフランジ面に当接させる当接部を形成してあり、押え部材の当接部をフランジ面に当てることで、押え部材の変形を防止して確実にシールでき、特に鞘管が取り付けられてジャケットの重量が重い場合に有効である。
【００１４】
また、この発明の請求項８記載の杭と鞘管間のグラウト流出防止用シール構造は、請求項１〜７のいずれかに記載の構成に加え、前記フランジ部の外周端縁の円周複数箇所に、前記押え部材のずれを防止するずれ止め部材を設けてなることを特徴とするものである。
この杭と鞘管間のグラウト流出防止用シール構造によれば、前記フランジ部の外周端縁の円周複数箇所に、前記押え部材のずれを防止するずれ止め部材を設けてあり、ずれ止め部材によってシール部材を位置決めでき、確実にシールできるようになり、特に押え部材の当接部をフランジ面に当てることと組合わせることで、押え部材の変形を防止して特に鞘管が取り付けられてジャケットの重量が重い場合であって確実に位置決めしてシールできるようになり有効となる。
【発明の効果】
【００１５】
この発明の請求項１記載の杭と鞘管間のグラウト流出防止用シール構造によれば、鞘管の端部に外側に突き出した環状のフランジ部を設け、このフランジ部に鞘管の内側に突き出す環状のシール部を備える弾性体のシール部材を当て、さらにこのシール部材に押えリング部を備える押え部材を当て、これらの外側から固定部材で挟んで固定するようにしたので、鞘管の外側でシール構造を取り付けることができ、しかも固定部材で挟んで固定することで、ボルト用の孔加工や位置合わせが不要となり、製作および施工を簡単にすることができる。
【００１６】
また、この発明の請求項２記載の杭と鞘管間のグラウト流出防止用シール構造によれば、シール部材の外周端縁部に、肉厚または凸状の抜け止め部を形成したので、抜け止め部の内側を挟んで固定することで、肉厚または凸状の部分で抜け難くなり、一層確実に固定することができる。
【００１７】
さらに、この発明の請求項３記載の杭と鞘管間のグラウト流出防止用シール構造によれば、押え部材の端縁部に、前記鞘管の周面と平行に突き出す円筒部を形成したので、鞘管の下端部が海底面などに設置される場合にも円筒部でシール部材の変形できる空間を確保して確実にシールすることができる。
【００１８】
また、この発明の請求項４記載の杭と鞘管間のグラウト流出防止用シール構造によれば、押え部材の端縁部に、先端部が大径の円すい部を形成したので、押え部材に直接円すい部を形成したり、円筒部を介して円すい部を形成することで、杭を先に打設し、鞘管を後で設置する場合でも円すい部をガイドとして容易に施工することができる。
【００１９】
さらに、この発明の請求項５記載の杭と鞘管間のグラウト流出防止用シール構造によれば、シール部材の上面または下面のいずれかに、鞘管の内周面より突き出して当該シール部材を支持する補強部材を設けたので、補強部材でシール部材を支えて補強することで、杭と鞘管との間隔が大きい場合でも偏心を抑えて確実にシールすることができる。さらに、押え部材の内側より補強部材が突出した範囲のグラウト圧を補強部材が受け持つことができるので、シール部材にかかるグラウト圧が小さくなり、シール部材の変形を抑えて、鞘管と杭の偏心量が大きくても安定したシール効果を期待することができる。
【００２０】
また、この発明の請求項６記載の杭と鞘管間のグラウト流出防止用シール構造によれば、押え部材の押えリング部の内周端を、前記鞘管の内周面より突出させて前記シール部材を支持可能に構成したので、押え部材を突き出すことによってもシール部材を支えて補強することができ、別部材とすることなく、杭と鞘管との間隔が大きい場合でも偏心を抑えて確実にシールすることができる。
【００２１】
さらに、この発明の請求項７記載の杭と鞘管間のグラウト流出防止用シール構造によれば、押え部材の外周端縁に、鞘管のフランジ面に当接させる当接部を形成したので、押え部材の当接部をフランジ面に当てることで、抑え部材の変形を防止して確実にシールすることができ、特に鞘管が取り付けられてジャケットの重量が重い場合に有効にシールすることができる。
【００２２】
また、この発明の請求項８記載の杭と鞘管間のグラウト流出防止用シール構造によれば、フランジ部の外周端縁の円周複数箇所に、押え部材のずれを防止するずれ止め部材を設けたので、ずれ止め部材によってシール部材を位置決めして確実にシールすることができる。特に、押え部材の当接部をフランジ面に当てることと組合わせることで、押え部材の変形を防止して確実にシールすることができ、特に鞘管が取り付けられてジャケットの重量が重い場合に有効となる。
【発明を実施するための最良の形態】
【００２３】
以下、この発明の実施の形態について、図面に基づき詳細に説明する。  
図１および図２はこの発明の杭と鞘管間のグラウト流出防止用シール構造の一実施の形態にかかり、図１（ａ），（ｂ）は全体の概略断面図および鞘管の概略斜視図、図２（ａ）は鞘管の部分拡大断面図、同図（ｂ）は鞘管の他の一実施形態の部分拡大断面図である。
【００２４】
この杭と鞘管間のグラウト流出防止用シール構造１０は、ゴムや合成樹脂などの弾性体の環状で横断面形状が横長のＩ字状のシール部材１１を、鞘管２の外側で取り付けることができるようにし、しかも取付固定をボルト・ナットを挿通することなく、固定部材を差し込むなどで挟んで行うことで、工場などでの各部材の製作を容易とし、施工現場でも簡単に施工できるようにしたものである。
【００２５】
この杭と鞘管間のグラウト流出防止用シール構造１０では、鞘管２の端部である下端に、外側に水平に突き出して環状のフランジ部１２が設けられ、鞘管２の下端に当てられて溶接して取り付けてある。
【００２６】
この鞘管２のフランジ部１２を介して取り付けられるシール部材１１は、鞘管２の内側に突き出す環状のシール部１１ａを備えるとともに、外側には、フランジ部１２に当てて取り付ける取付部１１ｂが一体に形成してある。
【００２７】
また、このシール部材１１には、外周端縁部に上方に突き出す凸状の抜け止め部１１ｃが一体に形成してあり、この凸状の抜け止め部１１ｃによって杭４を打ち込んだり、打ち込んである杭４に挿入する場合の内側への抜け出しを防止する。なお、抜け止め部１１ｃは、凸状の部分を外側に形成する場合に限らず、外側の部分を肉厚にして構成するようにしても良い。
【００２８】
さらに、この杭と鞘管間のグラウト流出防止用シール構造１０では、シール部材１１の取付部１１ｂをフランジ部１２に挟んで取り付けるため環状の押え部材１３が用意され、フランジ部１２と同一形状としてあり、内径が鞘管２の内径と同一とされて鞘管２の内側に突き出さないようするとともに、外径がフランジ部１２の外径と同一として構成してあり、押え部材１３の全体がシール部材１１に当たる板状の押えリング部１３ａとしてある。
【００２９】
また、鞘管２を海底に設置する場合の押え部材１４としては、水中に設置する場合の押え部材１３と異なり、図２（ｂ）に示すように、その端縁部であるシール部材１１の取付部１１ｂに当てる押えリング部１４ａの端縁部に鞘管２と同一内径とされ、鞘管２の周面と平行に下方に突き出す円筒部１４ｂを一体に形成して構成する。このような円筒部１４ｂを備える押え部材１４を用いることで、シール部材１１が下方に曲がるように変形する場合の変形空間を確保することができ、特に鞘管２を海底面に設置する場合の変形空間の確保に有効となる。
【００３０】
次に、鞘管２のフランジ部１２に当てたシール部材１１を押え部材１３、１４を介して挟んで取り付ける固定部材１５は、例えば図３にそれぞれ示すように、略Ｃ字状のシャコ万力形状とした金属製のフレーム１５ａを備え、開口部の対向面１５ｂ間で挟むようにするものや対抗面１５ｂの先端にテーパ面１５ｃを形成したもの、あるいはシャコ万力と同様に、一方の対向面に突き出して締付ねじ１５ｄを取り付けたものなどが用いられる。
【００３１】
このような固定部材１５を用いて行うシール部材１１の取り付けは、例えば図３に示すように、締付治具１６を用い、フランジ部１２に当てたシール部材１１を押え部材１３、１４を介して挟んで締め付けてシール部材１１を圧縮した状態としておき、締付治具１６の近傍に固定部材１５を差し込んだ後、締付治具１６を取り外すようにする。
【００３２】
あるいは、開口部の対向面１５ｂにテーパ面１５ｃを形成した固定部材１５を用い、締付治具１６を用いることなく、ハンマーなどで打ち込んで取り付けるようにしても良い。
【００３３】
さらに、締付ねじ１５ｄを備えた固定部材１５を用いる場合には、締付ねじ１５ｄを戻して開口部を広げた状態として装着した後、締付ねじ１５ｄをねじ込んで締め付けることで取り付けるようにする。
【００３４】
こうして固定部材１５を鞘管２の円周に複数個等間隔に配置することで、シール部材１１の取り付けが完了する。この固定部材１５の取り付け個数は、鞘管２の大きさにもよるが、例えば円周８箇所ないし１０箇所程度とすれば良い。
【００３５】
このような杭と鞘管間のグラウト流出防止用シール構造１０によれば、鞘管２の外側に突き出したフランジ部１２にシール部材１１を取り付けることができ、これまでの鞘管の内側で施工する場合に比べ、作業空間も確保し易く、作業も効率良く、容易にできる。
【００３６】
また、シール部材１１の取付固定を固定部材１５で挟んで取り付けるようにしたので、ボルトを挿入する孔加工や、ボルト穴を合わせる位置合わせの必要がなく、簡単にシール部材１１を鞘管２に取り付けることができる。
【００３７】
次に、この発明の他の一実施の形態について、図４により説明するが、すでに説明した実施の形態と同一部分には、同一記号を記し、重複する説明は省略する。  
この杭と鞘管間のグラウト流出防止用シール構造１０では、これまで説明した杭後打ち工法に替え、杭先打ち工法に適用するもので、押え部材１７として、シール部材１１に当てる押えリング部１７ａの端縁部に円筒部１７ａを介して先端部が大径の円すい部１７ｃが一体に形成されて構成してあり、鞘管２の杭４への挿入端が漏斗状に広がった状態となっている。  
なお、他の構成はすでに説明した実施の形態と同一である。
【００３８】
このような押え部材１７を用いる杭と鞘管間のグラウト流出防止用シール構造１０によれば、押え部材１７の円すい部１７ｃによって先に打設された杭４に鞘管２を設置する場合のガイドとすることができ、簡単に位置合わせを行って作業することができる。
【００３９】
次に、この発明の他の一実施の形態について、図５により説明するが、すでに説明した実施の形態と同一部分には、同一記号を記し、重複する説明は省略する。  
この杭と鞘管間のグラウト流出防止用シール構造１０では、押え部材１７の外周端縁に、鞘管２のフランジ面であるフランジ１２の下面に当接させる当接部１７ｄが外周に沿って連続して溶接して設けてある。一方、鞘管２のフランジ部１２には、下方に突き出してずれ止め部材１８が円周複数箇所に溶接して設けてあり、押え部材１７の当接部１７ｄの外周端面に当てることで、鞘管２のフランジ部１２と、シール部材１１と、押え部材１７のずれを防止するようにしてある。  
なお、他の構成はすでに説明した実施の形態と同一である。
【００４０】
これらにより、押え部材１７の当接部１７ｄをフランジ部１２の下面（フランジ面）に当てることで、押え部材１７の当接部１７ｄで外周縁部を締めるけることができるとともに、固定部材１５でその内側の内周縁部を締め付けることができ、一層確実にシールすることができ、特に鞘管２が取り付けられてジャケットの重量が重い場合に有効にシールすることができる。
また、フランジ部１２の外周端縁の円周複数箇所に、ずれ止め部材１８を設けたので、ずれ止め部材１８によって押え部材１７のずれを防止することができ、シール部材１１を位置決めして確実にシールすることができる。
【００４１】
なお、この実施の形態では、押え部材１７の当接部１７ｄとずれ止め部材１８とを組み合わせて設ける場合について説明したが、いずれか一方だけを設けるように構成しても良く、ずれ止め部材だけとして押え部材のずれ止めおよびシール部材の位置決めを行うようにしても良い。
【００４２】
次に、この杭と鞘管間のグラウト流出防止用シール構造１０で、鞘管２と杭４との空間が大きい場合には、例えば図６に示すように、シール部材１１の下側に補強部材１９を配置して、鞘管２の内周面より突き出すように取り付ける。
【００４３】
この補強部材１９としては、例えば鉄板、合成樹脂板、ワイヤーブラシなどで構成し、図６（ｂ）に示すように、放射状に分割したものを押え部材１３を介して取り付けるようにする。この補強部材１９の鞘管２の内周面からの突き出し量は、杭４の打設をガイドするスペーサと同一程度とすれば良い。  
なお、他の構成は、すでに説明した上記実施の形態と同一である。
【００４４】
このような補強部材１９を設けることで、この杭と鞘管間のグラウト流出防止用シール構造１０によれば、シール部材１１を均一に変形させ、鞘管２と杭４との偏心を抑えることができ、同心状に施工することができる。  
また、押え部材１７の内側より補強部材１９が突出した範囲のグラウト圧を補強部材１９で支持することができ、この分だけシール部材１１にかかるグラウト圧を減少させることができ、シール部材１１の変形を抑えて、鞘管２と杭の偏心量が大きくても安定したシール効果を期待することができるとともに、上記実施の形態と同一の効果を奏する。
【００４５】
なお、補強部材１９を別に設けるのに替え、図７に示すように、押え部材１３の押えリング部１３ａの内周端を鞘管２の内周面より突き出すように形成し、この部分を補強部１３ｂとして一体に構成したものでも良く、押え部材１３に環状の補強部１３ｂを形成した場合も同様に、シール部材１１を均一に変形させ、鞘管２と杭４との偏心を抑えることができるとともに、すでに説明した杭と鞘管間のグラウト流出防止用シール構造１０と同一の効果を奏する。
【００４６】
さらに、この杭と鞘管間のグラウト流出防止用シール構造１０では、シール部材１１の取付強度を増大する必要がある場合には、図８に示すように、押え部材１３の外周端縁に、鞘管２のフランジ部１２に当てる支持部１３ｃを設けるようにし、固定部材１５で挟んで固定するのに加え、押え部材１３の外周端の支持部１３ｃを当てることで、半径方向２箇所で押えることができ、ジャケット重量が重い場合にも強固に取り付けることができる。
【００４７】
この支持部１３ｃの突き出し量は、例えばシール部材１１の取付部１１ｂを固定部材１５で挟んで圧縮した状態で、支持部１３ｃがフランジ部１２の下面に当接するように形成する。
【００４８】
このような押え部材１３に支持部１３ｃを設けることで、強固にシール部材１１を取り付けることができるとともに、すでに説明した杭と鞘管間のグラウト流出防止用シール構造１０と同一の効果を奏する。  
なお、シール部材１１の取付強度の確保のためには、押え部材１３に支持部１３ｃを設ける場合に限らず、固定部材１５の数量を増やしたり、固定部材１５の厚みを厚くして押える部分の面積を増大するようにしても良い。
【００４９】
また、補強部１３ｂや支持部１３ｃを設ける場合の例として押え部材１３を挙げて説明したが、他の押え部材１４や押え部材１７に対して適用することもでき、同様の作用効果を奏するものとなる。
【図面の簡単な説明】
【００５０】
【図１】この発明の杭と鞘管間のグラウト流出防止用シール構造の一実施の形態にかかる全体の概略断面図および鞘管の概略斜視図である。
【図２】この発明の杭と鞘管間のグラウト流出防止用シール構造の一実施の形態にかかり、（ａ）は鞘管の部分拡大断面図、（ｂ）は鞘管の他の一実施形態の部分拡大断面図である。
【図３】この発明の杭と鞘管間のグラウト流出防止用シール構造の他の一実施の形態にかかるそれぞれ締付治具および固定部材による取付の説明図である。
【図４】この発明の杭と鞘管間のグラウト流出防止用シール構造のさらに他の一実施の形態にかかる杭先打ち工法に適用する場合の部分断面図である。
【図５】この発明の杭と鞘管間のグラウト流出防止用シール構造の一実施の形態にかかるそれぞれ杭先打ち工法に適用する場合の部分斜視図、Ａ部分の分解図およびＡ部分の断面図である。
【図６】この発明の杭と鞘管間のグラウト流出防止用シール構造の他の一実施の形態にかかり、（ａ）は部分断面図、（ｂ）は補強部材を抽出した平面図である。
【図７】この発明の杭と鞘管間のグラウト流出防止用シール構造の一実施の形態にかかる部分断面図である。
【図８】この発明の杭と鞘管間のグラウト流出防止用シール構造の他の一実施の形態にかかる部分断面図である。
【図９】従来の杭と鞘管間のグラウト流出防止用シール構造の横断面図である。
【符号の説明】
【００５１】
２      鞘管
４      杭
１０    杭と鞘管間のグラウト流出防止用シール構造
１１    シール部材
１１ａ  シール部
１１ｂ  取付部
１１ｃ  抜け止め部
１２    フランジ部
１３    押え部材
１３ａ  押えリング部
１３ｂ  補強部
１３ｃ  支持部
１４    押え部材
１４ａ  押えリング部
１４ｂ  円筒部
１５    固定部材
１５ａ  フレーム
１５ｂ  対向面
１５ｃ  テーパ面
１５ｄ  締付ねじ
１６    締付治具
１７    押え部材
１７ａ  押えリング部
１７ｂ  円筒部
１７ｃ  円すい部
１７ｄ  当接部
１８    ずれ防止部材
１９    補強部材
【図１】
2009084948.tif 000003
【図２】
2009084948.tif 000004
【図３】
2009084948.tif 000005
【図４】
2009084948.tif 000006
【図５】
2009084948.tif 000007
【図６】
2009084948.tif 000008
【図７】
2009084948.tif 000009
【図８】
2009084948.tif 000010
【図９】
2009084948.tif 000011